(57)【特許請求の範囲】
【請求項１】
デジタルカメラで撮影された人物画像情報が１コマ単位で保存される記憶媒体が用いられると共に、この記憶媒体に保存された人物画像情報のうち指定されたコマの人物画像情報を読出す読出し装置と、人物画像情報の表示が可能なディスプレイと、人物画像情報のプリントが可能なプリント装置とを備え、前記読出し装置で読出された人物画像情報を前記ディスプレイに表示させ、又、プリント情報としてプリント装置に転送する処理手段を備えている証明写真処理システムであって、
前記記憶媒体が前記読出し装置にセットされた場合には、人物画像の撮影時に、その人物画像のコマに対応して前記記憶媒体に保存され、各コマの撮影順序を特定可能な情報を含む付帯情報で構成されるオーダ識別情報に基づいて各オーダを区別し、このように区別したオーダのうち最新のオーダに対応するコマを指定し、そのコマの人物画像情報を抽出して前記ディスプレイに表示する指定手段を備えている証明写真処理システム。
【請求項２】
前記指定手段は、人物画像情報の抽出を行った際には、そのコマに対応する付帯情報を記憶手段に保存する処理を行うと共に、この保存の処理の以後に人物画像情報の抽出を行う場合には、記憶手段に保存された付帯情報に基づいて既に人物画像情報の抽出が行われているコマを除外したコマを指定して人物画像情報の抽出を行うよう構成されている請求項１記載の証明写真処理システム。
【請求項３】
前記指定手段で指定される複数のコマの付帯情報の撮影日時を示す日時情報から、夫々のコマが撮影された時間間隔を判別し、この時間間隔が予め設定された値内にある複数のコマを１オーダとして他のオーダと区別して処理するよう該指定手段の処理形態が設定されている請求項２記載の証明写真処理システム。
【請求項４】
前記記憶手段がハードディスク、不揮発メモリ等、前記処理手段に備えられた記憶機器で構成されている請求項２記載の証明写真処理システム。
【請求項５】
前記記憶手段が、前記記憶媒体で兼用されている請求項２記載の証明写真処理システム。
【請求項６】
前記付帯情報として撮影日時を示す日時情報が用いられると共に、前記指定手段は日時情報が最も後になるコマ、あるいは、このコマが撮影された時刻を基準にして設定された時間間隔内に撮影されたコマを含めた複数のコマを指定して人物画像情報の抽出を行うよう構成されている請求項１記載の証明写真処理システム。
【請求項７】
前記付帯情報として撮影時の順序を示すコマ番号が用いられると共に、前記指定手段はコマ番号が最も大きいコマ、あるいは、このコマが撮影された時刻を基準にして設定された時間間隔内に撮影されたコマを含めた複数のコマを指定して人物画像情報の抽出を行うよう構成されている請求項１記載の証明写真処理システム。
【請求項８】
デジタルカメラで撮影された人物画像情報が１コマ単位で保存される記憶媒体が用いられると共に、この記憶媒体に保存された人物画像情報のうち指定されたコマの人物画像情報を読出す読出し装置と、人物画像情報の表示が可能なディスプレイと、人物画像情報のプリントが可能なプリント装置とを備え、前記読出し装置で読出された人物画像情報を前記ディスプレイに表示させ、又、プリント情報としてプリント装置に転送する処理手段を備えている証明写真処理システムであって、
前記記憶媒体が前記読出し装置にセットされた場合には、人物画像情報の所定の画像領域における情報および各コマの撮影順序を特定可能な情報で構成されるオーダ識別情報に基づいて各オーダを区別し、このように区別したオーダのうち最新のオーダに対応するコマを指定し、そのコマの人物画像情報を抽出して前記ディスプレイに表示する指定手段を備えている証明写真処理システム。
【発明の詳細な説明】
【０００１】
【発明の属する技術分野】
本発明は、デジタルカメラで撮影された人物画像情報が１コマ単位で付帯情報を付して保存される記憶媒体が用いられると共に、この記憶媒体に保存された人物画像情報のうち指定されたコマの人物画像情報を読出す読出し装置と、人物画像情報の表示が可能なディスプレイと、人物画像情報のプリントが可能なプリント装置とを備え、前記読出し装置で読出された人物画像情報を前記ディスプレイに表示させ、又、プリント情報としてプリント装置に転送する処理手段を備えている証明写真処理システムに関する。
【０００２】
【従来の技術】
近年、デジタルカメラ（デジタルスチルカメラ）は高性能化、低価格化が進み、銀塩フィルムを用いるカメラのような現像処理が不要であるため、迅速な処理を要求される証明写真に用いることが期待されている。又、ＤＰ店でデジタルカメラを用いて証明写真を得る場合には、デジタルカメラで人物を複数コマ撮影してメモリカード等の記憶媒体に保存し、この記憶媒体の画像情報をメディアリーダで読出し、コンピュータ等を介してディスプレイに表示し、表示に基づいてプリントすべきものを選択し、プリントサイズの設定、色調や明るさの調整を行った後にプリンタでプリントを行う手順の作業となる。
【０００３】
【発明が解決しようとする課題】
ここで、ＤＰ店等で証明写真をプリントする場合を考えるに、証明写真の依頼主の人物画像（肖像）をデジタルカメラで撮影し、記憶媒体に保存した人物画像情報をディスプレイに表示して処理することになる。しかし、メモリカード等の記憶媒体には依頼主を撮影する以前に撮影した人物画像情報が消去されずに残されていることも多く、その依頼主のオーダ（注文の単位）以外の人物画像情報が先にディスプレイに表示されてしまうこともある。このように依頼主以外の人物画像情報が先にディスプレイに表示された場合には、表示するコマを順次切換えながら、その表示の中から依頼主の肖像を選択する操作を行うことになり、無駄に時間を費やし、作業能率を低下させることになる。そして、この処理を依頼人が視認できる環境で行った場合には、自分以外の人物画像がディスプレイに表示されるのを見るものとなるので、自分を撮影した画像が、後日、他人の目にさらされることを想像させ、ＤＰ店等の印象を悪化させることにも繋がり営業の面から改善の余地がある。
【０００４】
又、前述の不都合を解消する目的で記憶媒体から証明写真をプリントした後には、記憶媒体に撮影された人物画像情報を、その都度消去することも考えられるが、その都度消去することは煩わしい面があり手間の面で改善の余地がある。
【０００５】
本発明の目的は、デジタルカメラで撮影された人物画像情報のうち証明写真に必要なものだけをディスプレイに表示させて能率の良い証明写真のプリントを可能にするシステムを合理的に構成する点にある。
【０００６】
【課題を解決するための手段】
本発明の第１の特徴（請求項１）は、デジタルカメラで撮影された人物画像情報が１コマ単位で保存される記憶媒体が用いられると共に、この記憶媒体に保存された人物画像情報のうち指定されたコマの人物画像情報を読出す読出し装置と、人物画像情報の表示が可能なディスプレイと、人物画像情報のプリントが可能なプリント装置とを備え、前記読出し装置で読出された人物画像情報を前記ディスプレイに表示させ、又、プリント情報としてプリント装置に転送する処理手段を備えている証明写真処理システムにおいて、前記記憶媒体が前記読出し装置にセットされた場合には、人物画像の撮影時に、その人物画像のコマに対応して前記記憶媒体に保存され、各コマの撮影順序を特定可能な情報を含む付帯情報で構成されるオーダ識別情報に基づいて各オーダを区別し、このように区別したオーダのうち最新のオーダに対応するコマを指定し、そのコマの人物画像情報を抽出して前記ディスプレイに表示する指定手段を備えている点にあり、その作用、及び、効果は次の通りである。
【０００８】
本発明の第２の特徴（請求項２）は請求項１において、前記指定手段は、人物画像情報の抽出を行った際には、そのコマに対応する付帯情報を記憶手段に保存する処理を行うと共に、この保存の処理の以後に人物画像情報の抽出を行う場合には、記憶手段に保存された付帯情報に基づいて既に人物画像情報の抽出が行われているコマを除外したコマを指定して人物画像情報の抽出を行うよう構成されている点にあり、その作用、及び、効果は次の通りである。
【０００９】
本発明の第３の特徴（請求項３）は請求項２において、前記指定手段で指定される複数のコマの付帯情報の撮影日時を示す日時情報から、夫々のコマが撮影された時間間隔を判別し、この時間間隔が予め設定された値内にある複数のコマを１オーダとして他のオーダと区別して処理するよう該指定手段の処理形態が設定されている点にあり、その作用、及び、効果は次の通りである。
【００１０】
本発明の第４の特徴（請求項４）は請求項２において、前記記憶手段がハードディスク、不揮発メモリ等、前記処理手段に備えられた記憶機器で構成されている点にあり、その作用、及び、効果は次の通りである。
【００１１】
本発明の第５の特徴（請求項５）は請求項２において、前記記憶手段が、前記記憶媒体で兼用されている点にあり、その作用、及び、効果は次の通りである。
【００１２】
本発明の第６の特徴（請求項６）は請求項１において、前記付帯情報として撮影日時を示す日時情報が用いられると共に、前記指定手段は日時情報が最も後になるコマ、あるいは、このコマが撮影された時刻を基準にして設定された時間間隔内に撮影されたコマを含めた複数のコマを指定して人物画像情報の抽出を行うよう構成されている点にあり、その作用、及び、効果は次の通りである。
【００１３】
本発明の第７の特徴（請求項７）は請求項１において、前記付帯情報として撮影時の順序を示すコマ番号が用いられると共に、前記指定手段はコマ番号が最も大きいコマ、あるいは、このコマが撮影された時刻を基準にして設定された時間間隔内に撮影されたコマを含めた複数のコマを指定して人物画像情報の抽出を行うよう構成されている点にあり、その作用、及び、効果は次の通りである。
【００１４】
本発明の第８の特徴（請求項８）は、デジタルカメラで撮影された人物画像情報が１コマ単位で保存される記憶媒体が用いられると共に、この記憶媒体に保存された人物画像情報のうち指定されたコマの人物画像情報を読出す読出し装置と、人物画像情報の表示が可能なディスプレイと、人物画像情報のプリントが可能なプリント装置とを備え、前記読出し装置で読出された人物画像情報を前記ディスプレイに表示させ、又、プリント情報としてプリント装置に転送する処理手段を備えている証明写真処理システムであって、前記記憶媒体が前記読出し装置にセットされた場合には、人物画像情報の所定の画像領域における情報および各コマの撮影順序を特定可能な情報で構成されるオーダ識別情報に基づいて各オーダを区別し、このように区別したオーダのうち最新のオーダに対応するコマを指定し、そのコマの人物画像情報を抽出して前記ディスプレイに表示する指定手段を備えている点にあり、その作用、及び、効果は次の通りである。
【００１５】
〔作用〕
上記第１の特徴によると、人物画像情報が保存された記憶媒体を読出し装置にセットした場合には、指定手段がオーダ識別情報に基づいてオーダを区別し、このように区別したオーダのうち最新のオーダに対応するコマを指定し、そのコマの人物画像情報を抽出してディスプレイに表示するので、オーダの区別が確実になるばかりでなく、オペレータがディスプレイに表示される人物画像情報を人為的に切換ながら視覚によってオーダに対応するコマを選択する如き操作を行わずに済み、このように指定手段で抽出された人物画像情報を処理手段によってプリント装置に転送することで証明写真を得るものとなる。また、オーダ識別情報が人物画像の撮影時に、人物画像のコマに対応して記憶媒体に保存される付帯情報で構成されるので、オーダを区別する際には付帯情報を判断するだけで済むものとなる。
【００１７】
上記第２の特徴によると、指定手段は、記憶手段に保存された付帯情報に基づいて人物画像情報が既に抽出されたコマを除外したコマを指定して人物画像情報の抽出を行うことになるので、同じ記憶媒体に複数の依頼主の人物画像情報が保存されたものであっても、既に指定手段で指定されたコマ（証明写真の処理が行われたコマ）の人物画像情報を再度抽出する処理が行われることはない。
【００１８】
上記第３の特徴によると、人物画像情報がまだ抽出されていない複数のオーダのコマが記憶媒体に存在する場合でも、指定手段が日時情報に基づいて夫々のオーダを区別するので、オペレータが人為的に区別する処理を行わずともオーダ毎にコマを指定して人物画像の抽出を行えるものとなる。
【００１９】
上記第４の特徴によると、処理手段に通常備えられるハードディスクや不揮発メモリ等の記憶機器を記憶手段に用いることで、特別に記憶手段を備えずに済むものとなる。
【００２０】
上記第５の特徴によると、記憶手段に記憶媒体が兼用されるので、メモリ等の記憶手段を用いずに済むばかりか、複数の記憶媒体を用いる場合でも、その記憶媒体に対応した情報に基づいて誤りのない状態で記憶媒体のコマを指定できるものとなる。
【００２１】
上記第６の特徴によると、指定手段が日時情報のうち最も後になるコマ、あるいは、設定された時間間隔内に撮影された複数のコマを指定して、そのコマの人物画像情報の読出しを行うので、オペレータがディスプレイに表示される人物画像情報を人為的に切換ながら視覚によってオーダに対応するコマを選択する如き操作を行わずとも、証明写真のオーダ時には通常最後に撮影される人物画像情報が保存されたコマ、あるいは、このコマを含んだ１オーダ分の複数のコマを自動的に設定して人物画像の抽出を行えるものとなる。
【００２２】
上記第７の特徴によると、指定手段がコマ番号のうち最も大きいコマ、あるいは、この大きいコマ番号のコマが撮影された時刻を基準に設定された時間間隔内に撮影された複数のコマを指定して、そのコマの人物画像情報の読出しを行うので、オペレータがディスプレイに表示される人物画像情報を人為的に切換ながら視覚によってオーダに対応するコマを選択する如き操作を行わずとも、証明写真のオーダ時には通常最後に撮影され、最大のコマ番号となる人物画像情報が保存されたコマ、あるいは、このコマを含んだ１オーダ分の複数のコマを自動的に設定して人物画像の抽出を行えるものとなる。
【００２３】
上記第８の特徴によると、オーダ識別情報が、人物画像情報の所定の画像領域の情報で構成されているので、画像の色の情報や画像の形の情報等の画像の特徴を基にしてオーダを区別するものとなり、区別するための根拠が現実的で区別も明確に行えるものとなる。
【００２４】
〔発明の効果〕
従って、デジタルカメラで撮影された人物画像情報のうち証明写真に必要なものだけを手間を掛けず自動的に選択できると共に、このように選択した人物画像情報だけをディスプレイに表示させて能率良く証明写真のプリントを可能にするシステムが合理的に構成されたのである。そして、オーダの区別を容易に行え、一度処理を行ったコマを除外して必要なコマの人物画像情報だけを確実に処理できるものとなり、又、１つの記憶媒体に複数のオーダの複数のコマが存在する場合でも、夫々のオーダを自動的に区別して混乱のない処理を行え、記憶手段を用いるに拘わらずシステムの構成を複雑化させずコストも上昇させないものとなり、複数の記憶媒体を用いる場合でも誤りなく必要な人物画像情報が保存されたコマを指定して処理を行えるものとなり、日時情報を用いることにより簡単な構成で単純な処理形態で済むものでありながら必要な人物画像情報の処理を行え、コマ番号を用いることにより簡単な構成で単純な処理形態で済むものでありながら必要な人物画像情報の処理を行え、人物画像情報からオーダを区別することで現実的で誤りのない区別を行えるものとなった。
【００２５】
【発明の実施の形態】
以下、本発明の実施の形態を図面に基づいて説明する。
〔第１の実施の形態〕
図１には証明写真プリントシステムを示し、このシステムではタッチパネル式のディスプレイＤを一体的に備えた汎用コンピュータＭ（処理手段の一例）と、この汎用コンピュータＭからの画像情報をプリントする昇華型のプリント装置Ｐとを備えて構成されている。汎用コンピュータＭにはデジタルカメラＣ（デジタルスチルカメラ）で撮影した人物画像情報が保存された記憶媒体Ｒ（コンパクトフラッシュやＰＣカードやスマートメディア等）の情報を読出す読出し装置１（メディアリーダ）と、ＣＤ−ＲやＣＤ−ＲＯＭからの情報を読取るＣＤ−ＲＯＭドライブ２と、フロッピーディスクＦＤの情報を読取るＦＤドライブ３とを備えている。プリント装置Ｐは昇華型のプリントヘッド（図示せず）を本体４に内蔵すると共に、ペーパカセット５にセットされたプリントペーパにプリントヘッドでプリントを行い排出部６に送り出すよう構成されている。又、ディスプレイＤはディスプレイ本体７とタッチパネル８とで構成されている。
【００２６】
このシステムでは前記ディスプレイＤの表示面に初期メニューがアイコンの形態で表示されるものとなっており、この初期メニューの１つを選択する際にはオペレータが指先をディスプレイに表示されたアイコン等に接触させるだけで、所謂、ＧＵＩ（Graphical User Interface) 式に処理形態を選択できるものとなっている。又、初期メニューには「証明写真」と「デジタルカメラ」と「リオーダー」と「デジタルカメラプリント」との処理を示す４つのアイコンが表示され（図示せず）、「証明写真」を選択した場合には後述するようにデジタルカメラＣで撮影された人物画像情報を選択したサイズの証明写真にプリントする処理を行い、「デジタルカメラ」を選択した場合にはデジタルカメラＣで撮影された画像情報を設定されたサイズにプリントする処理を行い、「リオーダー」を選択した場合には焼き増しプリントする処理を行うものとなり、「デジタルカメラプリント」を選択した場合には受付済みのオーダを出力サイズ毎まとめてプリントする処理を行うものとなっている。
【００２７】
本発明のシステムでは証明写真のプリントを行う場合の処理形態に特徴を有するものであり、その特徴とはＤＰ店等で依頼主の肖像をデジタルカメラＣで撮影し、このように撮影した人物画像情報が保存された記憶媒体Ｒを読出し装置１にセットした状態で「証明写真」の処理が選択された場合に記憶媒体Ｒに他の人物画像情報が保存されていても直前に撮影された人物画像情報を読出し、その人物画像をディスプレイＤに表示に対して優先的に表示して、証明写真の処理を行う点であり、その特徴に対応する構成及び処理形態を以下に説明する。
【００２８】
図２にブロック回路図が示され、この回路図では汎用コンピュータＭに内装したマイクロプロセッサ（ＣＰＵ）に対して前記読出し装置１、ＣＤ−ＲＯＭドライブ２、ＦＤドライブ３、汎用コンピュータＭに内蔵されたハードディスクドライブ１０に対するデータの入出力系が形成されると共に、このＣＰＵに対してＲＯＭ１１、メインメモリ１２、フレームメモリ１３、画像処理部１４夫々に対するデータのアクセス系が形成され、又、ビデオメモリ１５とビデオコントローラ１６を介してディスプレイ本体７に対する出力系が形成され、タッチパネル８からの信号をポインティング制御部１７を介し位置情報に変換してＣＰＵに入力する系、プリント制御部１８を介してプリント装置に信号を出力する系が形成されている。
【００２９】
前記デジタルカメラＣは撮影日時を記憶媒体Ｒに保存するための時計を内蔵しており、又、このデジタルカメラＣに用いられる記憶媒体Ｒの記憶領域を模式的に示すと、図３に示す如く、アドレスで記憶領域が指定される全記憶領域の一部（例えば、先頭アドレスから所定領域）にディレクトリやＦＡＴ（File Allocation Table)のデータ等が保存される管理領域を形成し、この管理領域以外の部分をデータ領域に割り当て、更に、このデータ領域を、撮影時に複数のコマ領域（フレーム領域）に割り当て得るよう設定されている。夫々のコマ領域はヘッダーと画像データ領域とが形成される。管理領域には記憶媒体の全記憶容量を示すデータ、コマ番号（フレーム番号）に対応する開始アドレス等を示すデータ（ディレクトリ及びＦＡＴに保存される）、撮影済のコマ番号データ等が設定された順序で保存されるものとなっており、ヘッダーにはコマ番号、撮影日時、データ量、データ形式等の付帯情報が設定された順序で保存され、画像領域にはＲ、Ｇ、Ｂ夫々の画像データ（通常は圧縮されたデータ）が保存されるものとなっている。
【００３０】
そして、人物（肖像）を撮影した記憶媒体Ｒを読出し装置１にセットした状態で、前記初期メニューから「証明写真」を選択した場合には、図８のフローチャートに示す証明写真処理制御が実行される。この制御では、選択ルーチン（＃２００ステップ）、位置決めルーチン（＃３００ステップ）、出力種類設定ルーチン（＃４００ステップ）、プリント処理ルーチン（＃５００ステップ）の順序で処理が行われるものとなっている（＃１０１〜＃１０８ステップ）。尚、記憶媒体Ｒがセットされない状態で「証明写真」が選択された場合には「メモリカード」をセットして下さい等のメッセージがディスプレイＤに表示される。
【００３１】
前記選択ルーチン（＃２００ステップ）では、図９のフローチャートに示すように、フラグを判別した後に、ディスプレイＤに対して図４に示す選択画面の表示を行うと共に（この表示の時点では選択画面中の３つのウインドウＷには人物画像情報は表示されない）、記憶媒体Ｒの管理情報を読出して撮影状態のコマ番号をセットする（＃２０１〜＃２０３ステップ）。このようにセットされたコマ番号のうち、ハードディスク１０に保存されたデータに基づいて、以前に画像情報が抽出された（読出された）コマを除外することで、新たに撮影された画像情報のコマ番号を選択（コマを指定）すると共に、夫々のコマが撮影された時間間隔が予め設定された時間（２分程度）以内であるものを１つのオーダとして判別する処理を行って複数のオーダの存否を判別し、複数のオーダが存在する場合には、最後に撮影されたオーダを表示対象に設定し、選択されたコマ番号の画像情報を記憶媒体Ｒから読出して汎用コンピュータＭのメインメモリ１２に転送し、その中から３コマ分を画面に形成された３つのウインドウＷに表示する（＃２０４〜＃２０８ステップ）。尚、この表示を行う場合には、撮影された順序で先頭のコマから３コマの画像データを３つのウインドウＷに並列的に表示されるものとなっており、１オーダとして撮影されたコマが２コマ以下である場合でも１オーダ分以上は同時に表示しない処理が行われる。
【００３２】
このように表示が行われると、この処理の後に画像情報を読出す際に、同じ画像情報が再度選択される不都合を回避するため、＃２０４ステップで選択されたコマ番号と、そのコマの日時情報とをハードディスク１０に保存し、この後にフラグに「１」をセットし、画面に表示された「矢印スイッチ」２１に指を接触させる操作に従って画像情報の表示を切換える処理を行うものとなっている（＃２０９〜＃２１１ステップ）。尚、フラグによる処理分岐は記憶媒体Ｒからの画像情報の選択を重複して行わないための処理である。
【００３３】
つまり、この処理では、一度選択されたコマ番号と日時情報との付帯情報（オーダ識別情報の一例）をハードディスク１０に保存することにより、記憶媒体Ｒがセットされた場合にはハードディスク１０に保存された情報に基づいて同じコマを再度選択する処理を回避するものとなっており、又、保存されるデータとしてコマ番号と日時情報とを併せて用いるので、例えば、記憶媒体Ｒの特定のコマ番号の画像情報が消去され、そのコマ番号で管理される画像情報が新たに保存された場合のように、ハードディスク１０に保存されたコマ番号と同じコマ番号であっても、日時情報が異なるコマの画像情報が新たに保存された画像情報であるものと判別して、そのコマを間違いなく選択すると云う良好な処理を行えるものとなっている。そして、複数のオーダが存在する場合には「矢印スイッチ」２１に指を接触させる操作を行うことで、初期に表示されたオーダと異なる画像情報を表示できるものとなっている。特に、複数のオーダが存在する場合には画面に対して、複数のオーダが存在することを文字で表示し、現在表示されているものが何れのオーダであるかを撮影された順序を示す番号や、撮影時刻で表示するよう制御形態を設定することも可能である。
【００３４】
この選択ルーチンに基づく表示状態で図４に示す如く、ディスプレイＤに表示された画像に対する指の接触で選択が行われると（＃１０２ステップ）、その画像情報がフレームメモリ１３に転送される処理が行われ、次の位置決めルーチンが実行され、又、ディスプレイＤに表示された「戻るスイッチ」２２に指を接触させる操作が行われた場合には初期画面に戻る処理を行うものとなっている（＃１０１ステップ）。
【００３５】
前記位置決めルーチン（＃３００ステップ）では、図１０のフローチャートに示す処理を行うことで、ディスプレイＤに対して図５に示す位置決め画面の表示を行うと共に、この画面に形成されたプレビューウインドウＰＷに対してフレームメモリ１３に転送された画像情報と、カーソルＣＵとを表示し、この画面に表示された「矢印スイッチ」２３に指を接触させる操作に従って、人物画像を左右に移動させて人物画像の横方向での中央位置をセットする（＃３０１、＃３０２ステップ）。尚、この処理に代えてカーソルＣＵを移動させることで人物画像の中心位置をセットする処理を行うことも可能であり、この処理を行った場合には反応の良い処理を可能にするものとなる。又、この左右方向での位置決めの処理の他に、上下方向での位置決め処理や、ズーム式に画像の大きさを調節する処理を併せて行うことで、きめ細やかな設定を行うよう処理形態を設定することも可能である。
【００３６】
この位置決めルーチンに基づく表示状態で図５に示す如く、画面に表示された「決定スイッチ」２４に指を接触させて選択対象が決まると（＃１０４ステップ）、その画像の左右位置等の構図を決めるデータを保存する処理が行われ、次の出力種類設定ルーチンが実行され、又、ディスプレイＤに表示された「戻るスイッチ」２２に指を接触させる操作が行われた場合には選択ルーチン（＃２００ステップ）に戻る処理を行うものとなっている（＃１０３ステップ）。
【００３７】
出力種類設定ルーチン（＃４００ステップ）では、図１１のフローチャートに示す処理を行うことで、ディスプレイＤに対して図６に示す出力種類設定画面の表示を行うものとなっている。具体的には画面に表示された「運転免許証」「履歴書」「パスポート」「ビザ」「一般試験」「その他」の６つの「サイズ選択スイッチ」２５に指を接触させてサイズの選択が行われると、選択されたサイズをセットする処理が行われ（＃４０１〜＃４０３ステップ）、任意のサイズをセットするため画面に表示された「サイズ入力スイッチ」２６に指を接触させた場合には入力画面を表示し（図示せず）、この入力画面に基づいて入力された値をサイズにセットし（＃４０４〜＃４０６ステップ）、色補正を行うため画面に表示された「色補正スイッチ」２７に指を接触させた場合には色補正画面（図示せず）を表示し、この表示に従って補正値をセットし（＃４０７〜＃４０９ステップ）、モノクロームのプリントを行うために「白黒スイッチ」２８に指を接触させた場合には画像情報をモノクロームデータに変換し（＃４１０、＃４１１ステップ）、画像情報をフロッピーディスクに保存するために「ＦＤスイッチ」２９に指を接触させた場合には画像情報をフロッピーディスクＦＤに保存する処理を行い（＃４１２、＃４１３ステップ）、焼き増し処理を行うために「リピート券スイッチ」３０に指を接触させた場合には、画像情報を特定するために撮影日とオーダ番号とを証明写真と同じペーパにプリントする（図示せず）モードをセットする（＃４１４、＃４１５ステップ）ものとなっている。
【００３８】
この後に図６に示す如く画面に表示された「プリントスイッチ」３１に指を接触させると（＃１０６ステップ）、次のプリント処理ルーチンが実行され、又、ディスプレイＤに表示された「戻るスイッチ」２２に指を接触させる操作が行われた場合には位置決めルーチン（＃３００ステップ）に戻る処理を行うものとなっている（＃１０５ステップ）。
【００３９】
前記プリント処理ルーチン（＃５００ステップ）では、図１２のフローチャートに示す処理を行うことで、ディスプレイＤに対して図７に示すプリント処理画面の表示を行うと共に、フレームメモリ１３に保存していた画像情報をプリントデータに変換してプリント装置Ｐに転送する処理を行うものとなっている（＃５０１、＃５０２ステップ）。そして、このようにプリントが行われると、予め設定された大きさのペーパに対して、出力種類設定ルーチンで設定されたサイズの証明写真が予め設定された枚数プリントされるものとなる。
【００４０】
この後にディスプレイＤに表示された「終了スイッチ」３２に指を接触させる操作が行われた場合には初期画面に戻る処理が行われ（＃１０７ステップ）、「戻るスイッチ」２２に指を接触させる操作が行われた場合には出力種類設定ルーチン（＃４００ステップ）に戻る処理を行うものとなっている（＃１０６ステップ）。
【００４１】
以上のフローチャートに示した処理はＲＯＭ１１にセットされたプログラム（ハードディスク１０からＲＡＭに転送したプログラムでも良い）に従って行われるものであり、この処理のうち選択ルーチン（＃２００ステップ）において、ハードディスク１０に保存されたデータと、記憶媒体Ｒのに保存されたコマ番号と日時情報との付帯情報から画像情報を抽出すべきコマを設定し、そのコマの画像情報をディスプレイに表示する処理を行うプログラムを指定手段と称している。
【００４２】
この第１の実施例では、記憶手段としてハードディスク１０を用いていたが、この記憶手段として記憶媒体Ｒそのものを用いることも可能である。具体的には、一度選択されたコマを特定する情報（例えば、コマ番号）を記憶媒体Ｒの管理情報領域や、こ記憶媒体に特別に形成されたファイル等に保存するよう処理形態を設定しておくことにより、記憶媒体Ｒがセットされた場合には、保存された情報に基づいて同じコマを再度選択する処理を回避することが可能となる。特に、記憶媒体Ｒの特定のコマ番号の画像情報が消去される場合に、この管理情報領域やファイルに保存されるコマ番号のデータも同時に消去する処理を設定しておくと、そのコマ番号で管理される領域に画像情報が新たに保存された場合でも、新たに保存された画像情報は間違いなく選択できると云う良好な処理を行え、複数の記憶媒体を用いる場合でも誤りのない処理を行えるものとなる。
【００４３】
〔第２の実施の形態〕
本発明前記第１の実施の形態に代えて以下のように構成して実施することも可能である。尚、前記第１の実施の形態と同じ機能を有するものには第１の実施の形態と共通する番号、符号を附する。
【００４４】
前記第１の実施の形態のフローチャートの選択ルーチン（＃２００ステップ）を図１３のフローチャートに示すように設定する。つまり、このルーチンではフラグを判別した後に、ディスプレイＤに対して図４に示す選択画面の表示を行うと共に（この表示の時点では選択画面中の３つのウインドウＷには人物画像情報は表示されない）、記憶媒体Ｒの管理情報を読出して撮影状態のコマ番号をセットし、このようにコマ番号がセットされた夫々のコマの付帯情報に保存された日時情報（オーダ識別情報の一例）に基づいて表示すべきコマを選択する（＃２０１〜＃２０３ステップ）。具体的には、夫々のコマのヘッダーに保存された日時情報を比較して最後に撮影されたコマのコマ番号を抽出し、そのコマ番号を（Ｎ）にセットし（１．の条件）、次に、このコマ番号を基準にしてコマ番号が小さくなる順序で連続したコマ番号〔（Ｎー１），（Ｎ−２），（Ｎ−３），‥‥〕で（２．の条件）、２分程度の時間間隔内に撮影されたもの（３．の条件）を選択する処理を行う。
【００４５】
このように表示されるべきコマのコマ番号が選択されると、夫々のコマ番号の画像情報を記憶媒体Ｒから読出して汎用コンピュータＭのメインメモリ１２に転送し、この複数の画像情報のうち、コマ番号の小さいものから３コマ分を画面に形成された３つのウインドウＷに表示した後にフラグに「１」をセットし、画面に表示された「矢印スイッチ」２１に指を接触させる操作に従って画像情報の表示を切換える処理を行うものとなっている（＃２０５〜＃２０７ステップ）。尚、フラグによる処理分岐は記憶媒体Ｒからの画像情報の選択を重複して行わないための処理である。
【００４６】
この処理では、記憶媒体Ｒがセットされた場合には日時情報だけに基づいて表示すべきコマを選択するので、処理が単純であるばかりか、証明写真のオーダ時には通常最後に撮影される人物画像情報が保存されたコマ、あるいは、このコマを含んだ１オーダ分の複数のコマを自動的に選択して、その画像情報をディスプレイＤに表示するものとなり、現実には何ら不都合なく証明写真の処理を可能にするものとなる。又、この処理は１オーダ分撮影する毎に、記憶媒体Ｒをシステムにセットして証明写真をプリントすることを想定したものとなっているが、複数のオーダを連続して撮影し、その画像情報を記憶媒体に保存した場合に対応するため、全ての画像情報をハードディスク１０に転送し、「矢印スイッチ」２１の操作に基づいて最後のオーダから、前のオーダを順次切り換えてディスプレイＤに表示するよう処理形態を設定することも可能である。
【００４７】
〔第３の実施の形態〕
本発明前記第１の実施の形態に代えて以下のように構成して実施することも可能である。尚、前記第１の実施の形態と同じ機能を有するものには第１の実施の形態と共通する番号、符号を附する。
【００４８】
前記第１の実施の形態のフローチャートの選択ルーチン（＃２００ステップ）を図１４のフローチャートに示すように設定する。つまり、このルーチンではフラグを判別した後に、ディスプレイＤに対して図４に示す選択画面の表示を行うと共に（この表示の時点では選択画面中の３つのウインドウＷには人物画像情報は表示されない）、記憶媒体Ｒの管理情報を読出して撮影状態のコマ番号をセットし、このようにコマ番号がセットされた夫々のコマの付帯情報に保存されたコマ番号（オーダ識別情報の一例）に基づいて表示すべきコマを選択する（＃２０１〜＃２０４ステップ）。具体的には、夫々のコマのヘッダーに保存されたコマ番号を比較して最大のコマ番号を抽出し、そのコマ番号を（Ｎ）にセットし（１．の条件）、次に、このコマ番号を基準にしてコマ番号が小さくなる順序で連続したコマ番号〔（Ｎー１），（Ｎ−２），（Ｎ−３），‥‥〕で（２．の条件）、２分程度の時間間隔内に撮影されたもの（３．の条件）を選択する。
【００４９】
このように表示されるべきコマのコマ番号が選択されると、夫々のコマ番号の画像情報を記憶媒体Ｒから読出して汎用コンピュータＭのメインメモリ１２に転送し、この複数の画像情報のうち、コマ番号の小さいものから３コマ分を画面に形成された３つのウインドウＷに表示した後にフラグに「１」をセットし、画面に表示された「矢印スイッチ」２１に指を接触させる操作に従って画像情報の表示を切換える処理を行うものとなっている（＃２０５〜＃２０７ステップ）。尚、フラグによる処理分岐は記憶媒体Ｒからの画像情報の選択を重複して行わないための処理である。
【００５０】
つまり、デジタルカメラＣでは、撮影する毎に夫々のコマに対する付帯情報として「１」ずつカウントアップ（インクリメント）したコマ番号が付される処理が行われるものとなっている。従って、記憶媒体Ｒがセットされた場合にはコマ番号の情報に基づいて表示すべきコマを選択するという単純な処理を行うだけで、証明写真のオーダ時には通常最後のコマに撮影される人物画像情報が保存されたコマ、あるいは、このコマを含んだ１オーダ分の複数のコマを自動的に選択して、その画像情報をディスプレイＤに表示するものとなり、現実には何ら不都合なく証明写真の処理を可能にするものとなる。又、この処理は１オーダ分撮影する毎に、記憶媒体Ｒをシステムにセットして証明写真をプリントすることを想定したものとなっているが、複数のオーダを連続して撮影し、その画像情報を記憶媒体に保存した場合に対応するため、全ての画像情報をハードディスク１０に転送し、「矢印スイッチ」２１の操作に基づいて最後のオーダから、前のオーダを順次切り換えてディスプレイＤに表示するよう処理形態を設定することも可能である。
【００５１】
〔第４の実施の形態〕
本発明前記第１の実施の形態に代えて以下のように構成して実施することも可能である。尚、前記第１の実施の形態と同じ機能を有するものには第１の実施の形態と共通する番号、符号を附する。
【００５２】
前記第１の実施の形態のフローチャートの選択ルーチン（＃２００ステップ）を図１５のフローチャートに示すように設定する。つまり、このルーチンではフラグを判別した後に、ディスプレイＤに対して図４に示す選択画面の表示を行うと共に（この表示の時点では選択画面中の３つのウインドウＷには人物画像情報は表示されない）、記憶媒体Ｒの管理情報を読出して撮影状態のコマ番号をセットし、このようにコマ番号がセットされた夫々のコマの画像情報（全てのコマの画像情報）をメインメモリに転送すると共に、このメインメモリに転送された画像情報（オーダ識別情報の一例）に基づいてオーダを区別する処理を行うことで、複数のオーダの存否を判別し、複数のオーダが存在する場合には、最後に撮影されたオーダを表示対象に設定し、かつ、選択されたコマ番号の画像情報を記憶媒体Ｒから読出し、その中から３コマ分を画面に形成された３つのウインドウＷに表示する（＃２０４〜＃２０８ステップ）。尚、この表示を行う場合には、撮影された順序で先頭のコマから３コマの画像データを３つのウインドウＷに並列的に表示されるものとなっており、１オーダとして撮影されたコマが２コマ以下である場合でも１オーダ分以上は同時に表示しない処理が行われる。このように表示が行われると、フラグに「１」をセットし、画面に表示された「矢印スイッチ」２１に指を接触させる操作に従って画像情報の表示を切換える処理を行うものとなっている（＃２０９〜＃２１０ステップ）。尚、フラグによる処理分岐は記憶媒体Ｒからの画像情報の選択を重複して行わないための処理である。
【００５３】
又、１つのコマに撮影された人物画像情報は、図１６に示すように背景Ｂと人物の髪Ｈと顔Ｆと衣服Ｓとに特徴部分があり、これらの特徴が類似するものを同一のオーダとし、特徴が異なるものを異なるオーダとする処理が＃２０５ステップであり、具体的な処理としては以下のものを挙げることができる。
【００５４】
つまり、画像情報の略中央に位置する肌色の領域を顔Ｆと判別し、この肌色の領域の形や肌色の色相の類似性が高いものを同一人物であるとして同じオーダに設定する（手段１）。顔Ｆと背景Ｂとの間の領域を髪Ｈと判別し、この髪Ｈの領域の形や色相の類似性が高いものと同一人物であるとして同じオーダに設定する（手段２）。人物画像領域のうち背景Ｂで取り囲まれた領域の形や色相の類似性の高いものを同一人物であるとして同じオーダに設定する（手段３）。画像情報のうち背景Ｂとの境界部分のエッジを抽出し、その形の類似性が高いものを同一人物であるとして同じオーダに設定する（手段４）。この処理を行う画像情報としてビットマップ形式のデータを想定しており、処理を行う際には１コマ分の全Ｒ・Ｇ・Ｂデータに基づいて判別を行うものであっても、サムネイルのように粗い情報に基づいて判別を行うものであって良い。
【００５５】
特に、手段１、手段２、手段３については処理を簡便にする目的から、手段１や手段２のように顔Ｆや髪Ｈの類似性を判断する場合には、画像情報のうち顔Ｆが撮影されるであろう領域を予め設定しておき、この領域に存在するＲ・Ｇ・Ｂデータのうち、Ｒデータの総和、Ｇデータの総和、Ｂデータの総和を求め（１ライン毎の総和を求めても良い）、この総和と、異なるコマにおいて同様に求めた総和との差を求め（異なるコマの１ライン毎の総和の差を求め）、この差が許容される範囲内であれば同一人物を撮影したものであると判別することも可能である。又、手段３においても同様な処理を行うことが可能であるが、衣服Ｓの場合には画像の下側に位置するので、例えば、画像の下側の１／３〜１／４程度の領域に存在するＲ・Ｇ・Ｂデータのうち、Ｒデータの総和、Ｇデータの総和、Ｂデータの総和を求め（１ライン毎の総和を求めても良い）、この総和と、異なるコマにおいて同様に求めた総和との差を求め（異なるコマの１ライン毎の総和の差を求め）、この差が許容される範囲内であれば同一人物を撮影したものであると判別することも可能である。
【００５６】
この処理では、記憶媒体Ｒがセットされた場合には、現実に撮影された画像情報の特徴部分の類似性から同一人物を撮影したものであるか、否かを判別してオーダの区別するので現実的で誤りのない区別を行えるものとなっている。
【００５７】
このように本発明では、ＤＰ店等において証明写真のオーダを受けた場合には、その場で依頼主の肖像をデジタルカメラＣで複数のコマに撮影し、その人物画像情報を保存した記憶媒体Ｒを汎用コンピュータＭの読取り装置１にセットし、ディスプレイＤの表示に従って「証明写真」を選択する操作をオペレータが行うだけで、その記憶媒体Ｒに他の人物画像情報が存在する場合でも、ディスプレイＤに対しては、直前に撮影した人物画像だけが表示されることになって、オペレータがディスプレイＤの表示に基づいて撮影した画像を選択する操作を必要とせず、迅速な処理を可能にするものとなり、しかも、ディスプレイＤに対しては依頼主以外の肖像を表示させることがないので、店に対する信頼感も損なわないものとなり営業上からも有利なシステムとなる。又、ＤＰ店では稀に殆ど同じ時刻に複数の証明写真のオーダがあるが、このように連続して複数の依頼主の写真を撮影する場合にも依頼主同士の撮影時間を少し長く（３分程度以上に）設定するだけで夫々の依頼人の画像が自動的に区別され容易な処理を可能にしている。
【００５８】
〔別実施の形態〕
本発明は上記実施の形態以外に、例えば、記憶媒体ＲにＦＤやＭＯを用いることが可能であり、依頼主を撮影したコマの全て（１オーダ分）をディスプレイに表示するよう、肖像の表示数を自動的に変更するよう構成することが可能である。
【図面の簡単な説明】
【図１】第１の実施の形態のシステムの構成を示す斜視図
【図２】制御系を示すブロック回路図
【図３】記憶媒体の記憶領域を示す模式図
【図４】選択画面を示す図
【図５】位置決め画面を示す図
【図６】出力種類設定画面を示す図
【図７】プリント処理画面を示す図
【図８】証明写真処理制御のフローチャート
【図９】選択ルーチンのフローチャート
【図１０】位置決めルーチンのフローチャート
【図１１】出力種類設定ルーチンのフローチャート
【図１２】プリント処理ルーチンのフローチャート
【図１３】第２の実施の形態の選択ルーチンのフローチャート
【図１４】第３の実施の形態の選択ルーチンのフローチャート
【図１５】第４の実施の形態の選択ルーチンのフローチャート
【図１６】第４の実施の形態の画像情報の特徴部分を示す図
【符号の説明】
１            読出し装置
１０          ハードディスク
Ｃ            デジタルカメラ
Ｄ            ディスプレイ
Ｍ            処理手段
Ｐ            プリント装置
Ｒ            記憶媒体
【図１】
0004243898.tif 000002
【図２】
0004243898.tif 000003
【図３】
0004243898.tif 000004
【図４】
0004243898.tif 000005
【図５】
0004243898.tif 000006
【図６】
0004243898.tif 000007
【図７】
0004243898.tif 000008
【図８】
0004243898.tif 000009
【図９】
0004243898.tif 000010
【図１０】
0004243898.tif 000011
【図１１】
0004243898.tif 000012
【図１２】
0004243898.tif 000013
【図１３】
0004243898.tif 000014
【図１４】
0004243898.tif 000015
【図１５】
0004243898.tif 000016
【図１６】
0004243898.tif 000017